(57)【要約】【課題】容器の底部及びコーナー部に存する粉に対する計量操作性(正確な計量の容易性)に優れた、強度の高い紙製計量スプーンを提供することにある【解決手段】所定形状の板状紙1から組立て形成された直方体形状の計量部10と把持部20とからなる紙製計量スプーンSであり、上記板状紙1が、直角四辺形の底壁2と、該底壁2の一対の対向辺それぞれに連設された一対の直角四辺形の側壁3,3と、該底壁2の別の一対の対向辺それぞれに連設された一対の直角四辺形の前壁4及び後壁5と、該後壁5を挟んで上記一対の側壁3,3それぞれに連設された一対の把持片6,6とからなる。【選択図】図１
2006292556.tif 000002
【特許請求の範囲】
【請求項１】
所定形状の板状紙から組立て形成された箱型形状の計量部と把持部とからなる紙製計量スプーン。
【請求項２】
上記板状紙が、一枚の紙からなり、組み立て後の把持部と軽量部の側壁が連続的な面で形成されている請求項１記載の紙製計量スプーン。
【請求項３】
上記板状紙が、吸水度（ＪＩＳ  Ｐ８１４０）５０ｇ／ｍ2以下の紙から形成されている請求項１又は２記載の紙製計量スプーン。
【請求項４】
上記板状紙が、ポリラミネートされた紙から形成されている請求項１〜３の何れかに記載の紙製計量スプーン。
【請求項５】
上記板状紙が、直角四辺形の底壁と、該底壁の一対の対向辺それぞれに連設された一対の直角四辺形の側壁と、該底壁の別の一対の対向辺それぞれに連設された一対の直角四辺形の前壁及び後壁と、該後壁を挟んで上記一対の側壁それぞれに連設された一対の把持片とからなり、各連設部は何れも谷折される折曲部を形成しており、且つ上記前壁又は上記一対の側壁に、それらを結合する糊代を連設してあり、
直方体形状の上記計量部は、上記底壁の周囲に上記一対の側壁および上記前壁を上記折曲部においてそれぞれ起立させ、それらを上記糊代を介して結合し、且つ上記後壁を上記折曲部において起立させ、それらを上記一対の把持片の一部を介して結合して形成され、
上記把持部は、上記一対の把持片の一部を介して結合して形成される請求項１〜４の何れかに記載の紙製計量スプーン。
【請求項６】
上記板状紙が、台形の底壁と、該底壁の下辺および上辺それぞれに連設された直角四辺形の前壁および台形形状の後壁と、該前壁の両側辺それぞれに連設された一対の直角四辺形の側壁と、該側壁それぞれに連設された一対の把持片とからなり、該把持片は上記前壁及び上記一対の側壁と直列させて設けてあり、各連設部は何れも谷折される折曲部を形成しており、且つ上記一対の把持片と上記一対の側壁との間の折曲部上縁にそれぞれ結合切り込みを設けてあり、上記後壁の上縁両側端部にそれぞれ係止部を設けてあり、また、上記一対の把持片の末端部にそれぞれ結合切り込みを設けてあり、
直方体形状の上記計量部は、上記前壁及び上記後壁を上記折曲部においてそれぞれ起立させ、上記一対の側壁を上記折曲部においてそれぞれ折曲し、上記折曲部上縁それぞれに設けられた結合切り込みに、上記係止部をそれぞれ引っ掛けて形成され、
上記把持部は、上記一対の把持片それぞれの上記結合切込みを相互に係止して形成される請求項１〜４の何れかに記載の紙製計量スプーン。
【発明の詳細な説明】
【技術分野】
【０００１】
本発明は、容器入りの粉末洗剤や粉ミルク等を一定量取り出す計量用の紙製計量スプーンに関する。
【背景技術】
【０００２】
従来から、容器入りの粉末洗剤や粉ミルク等を一定量取り出すスプーンとして、プラスチック製の計量スプーンがある。プラスチックは十分な強度を持つが、石油由来の限りある資源から作られるため、その利用は控えることが望ましい。そこで、植物の光合成によってカーボンリサイクルが行われる紙製計量スプーンが開発されている。
下記特許文献１および特許文献２には、紙製計量スプーンが開示されており、また、特許文献３には、板材から簡単に組み立てられる計量等の使用時の安定性を向上させることができる計量スプーンが開示されている。
【０００３】
【特許文献１】特開２００４−７７１５２号公報
【特許文献２】実開平７−１２９２８号公報
【特許文献３】特開平９−１５９５０６号公報
【発明の開示】
【発明が解決しようとする課題】
【０００４】
しかし、特許文献１、特許文献２および特許文献３に記載の計量スプーンは、何れも計量部に曲面を有するスプーン型であるため、容器の底部及びコーナー部に存する粉を取り出すことが困難であり、正確な計量を容易に行うことが難しい。また、紙製のスプーン形状では紙に曲げ方向の力が作用するため、構造体としての強度が弱く、特に粉が固まっている場合には、その固まりを容易にほぐすことが難しい。
【０００５】
従って、本発明の目的は、容器の底部及びコーナー部に存する粉に対する計量操作性(正確な計量の容易性)に優れた、強度の高い紙製計量スプーンを提供することにある。
【課題を解決するための手段】
【０００６】
本発明は、板状紙から形成された箱型形状の計量部と把持部を有する紙製計量スプーンを提供することにより、上記目的を達成したものである。なお、本願の計量部の形状は、後述の好ましい実施態様の図面に示されているように計量部を構成する壁が略垂直に起立した直方体形状の計量部以外に、垂直よりも若干外側や外側に壁が傾いて計量部が構成される場合も含む。すなわち、本願でいう箱型とは、直方体形状とそれが若干変形した形状を総称したものである。
【発明の効果】
【０００７】
本発明の紙製計量スプーンによれば、計量部が箱型形状であるため、容器の底部及びコーナー部に存する粉を容易に掬い取って、且つ容易に計量することが可能であり、且つ使用時は主として圧縮力が作用（紙の断面に力がかかること）するような構造となっているため、実使用に耐えうる強度を有する。また、紙製計量スプーンのため環境に与える負担も少ない。また、把持部を実施形態に示すように、特に、計量部の側壁部と連続して構成することにより、把持部の強度の向上を図ることができる。
【発明を実施するための最良の形態】
【０００８】
以下、本発明の紙製計量スプーンの好ましい実施形態について、図を参照しながら説明する。
【０００９】
第一実施形態の紙製計量スプーンＳは、図1および図２に示すように、所定形状の一枚の板状紙１から組立て形成された直方体形状の計量部１０と把持部２０とからなっている。
第一実施形態の紙製計量スプーンＳをその展開状態を示す図２について説明すると、上記板状紙１が、直角四辺形の底壁２と、該底壁２の一対の対向辺それぞれに連設された一対の直角四辺形の側壁３、３と、該底壁２の別の一対の対向辺それぞれに連設された一対の直角四辺形の前壁４及び後壁５と、該後壁５を挟んで上記一対の側壁３、３それぞれに連設された一対の把持片６、６とからなっている。各連設部は何れも谷折される折曲部Ｂ１、Ｂ２、Ｂ３を形成しており、且つ上記前壁４又は上記一対の側壁３、３に、それらを接合する糊代７を連設してある。
【００１０】
第一実施形態の上記板状紙１について更に説明すると、上記底壁２、上記一対の側壁３、３、上記前壁４および上記後壁５はそれぞれほぼ正方形で、上記糊代７は上記側壁３とは切り離されているが、その間の隙間は粉が漏れないように少なくしてある。
また、上記把持部２０の形状について説明すると、上記把持片６は、該把持片６が連設されている上記側壁３からその一辺を湾曲状にせばめながら延びており、該湾曲状辺の反対側の上縁辺は、上記側壁３の上縁辺と連なる直線を形成している。上記把持片６の折曲部Ｂ３近傍は、上記側壁３と上記後壁５を結合する糊代８とする。上記把持片６は上記後壁５とは切り離されているが、その間の隙間は粉が漏れないように少なくしてある。
【００１１】
第一実施形態の紙製計量スプーンＳは、上述した形状の板状紙１を用いて、図１のように組立て形成される。
直方体形状の上記計量部１０は、上記底壁２の周囲に上記一対の側壁３、３および上記前壁４を上記折曲部Ｂ１、Ｂ１、Ｂ２においてそれぞれ起立させ、それらを上記糊代７を介して接着剤で接合し、且つ上記後壁５を上記折曲部Ｂ２において起立させ、それらを上記一対の把持片６、６の一部である糊代８、８を介して接着剤で接合して形成される。
上記把持部２０は、上記計量部１０を形成した後、上記一対の把持片６、６の一部である糊代９、９を介して接着剤で接合して形成される。
このようにして形成された第一実施形態の紙製計量スプーンＳにおいて、上記把持部２０の面の向きは上記底壁２に対して垂直である。
【００１２】
第二実施形態の紙製計量スプーンＳは、図３に示す所定形状の一枚の板状紙１から組立て形成されるもので、図１に示す第一実施形態と同様に直方体形状の計量部１０と把持部２０とからなっている。
第二実施形態の紙製計量スプーンＳをその展開状態を示す図３について説明すると、上記板状紙１が、台形の底壁２と、該底壁２の下辺および上辺それぞれに連設された直角四辺形の前壁４および台形形状の後壁５と、該前壁４の両側辺それぞれに連設された一対の直角四辺形の側壁３、３と、該側壁３、３それぞれに連設された一対の把持片６、６とからなり、該把持片６、６は上記前壁４及び上記一対の側壁３、３と直列させて設けてある。各連設部は何れも谷折される折曲部Ｂ２、Ｂ３、Ｂ４を形成しており、且つ上記一対の把持片６、６と上記一対の側壁３、３との間の折曲部Ｂ３、Ｂ３の上縁にそれぞれ結合切り込みＣ１、Ｃ１を設けてあり、上記後壁５の上縁両側端部にそれぞれ係止部Ｃ２、Ｃ２を設けてあり、また、上記一対の把持片６、６の末端部にそれぞれ結合切り込みＣ３，Ｃ３を設けてある。
【００１３】
第二実施形態の上記板状紙１について更に説明すると、上記底壁２は、上記前壁４と連設している下辺が上辺よりも長い２等辺台形であり、該底壁２の下辺は該下辺が連設する上記前壁４の一辺よりも長く、その長い部分は上記側壁３とは切り離されているが、その間の隙間は粉が漏れないように少なくしてある。
また、上記後壁５は、上記底壁２の上辺と連設している下辺が上辺よりも長い２等辺台形から構成されていて、該上辺両端に連設して上記係止部Ｃ２，Ｃ２が設けられている。該係止部Ｃ２，Ｃ２は上記後壁５の下辺側から切り込まれており、該係止部Ｃ２，Ｃ２の切り込みの長さは、上記結合切り込みＣ１，Ｃ１と同じであり、それらの切り込みの幅は上記板状紙１の厚さと同じである。
上記前壁４および上記一対の側壁３、３は、それぞれ略正方形であり、上記底壁２および上記後壁４のそれぞれの上辺および下辺の長さは、上記前壁４の一辺に応じて適宜設定される。
また、上記把持部２０の形状について説明すると、上記前壁４、上記一対の側壁３および上記一対の把持片６、６の上縁は直線をなしていて、上記一対の把持片６、６の形状は第一実施形態と同様であり、上記結合切り込みＣ３，Ｃ３は上記一対の把持片６、６末端部の上縁辺側と湾曲状辺側に、それぞれ設けられている。上記結合切り込みＣ３，Ｃ３の長さは、該切り込みＣ３，Ｃ３が設けられている場所の上記把持片６、６の幅の半分であり、該切り込みＣ３，Ｃ３の幅は上記板状紙１の厚さと同じである。
【００１４】
第二実施形態の紙製計量スプーンＳは、上述した形状の板状紙１を用いて組立て形成すると、上記後壁５と上記一対の側壁３、３との結合の仕方は異なるが、ほぼ図１のように形成される。
直方体形状の上記計量部１０は、上記前壁４及び上記後壁５を上記折曲部Ｂ２,Ｂ２においてそれぞれ起立させ、上記一対の側壁３、３を上記折曲部Ｂ４,Ｂ４においてそれぞれ折曲し、上記折曲部Ｂ３、Ｂ３の上縁それぞれに設けられた結合切り込みＣ１，Ｃ１に、上記係止部Ｃ２，Ｃ２をそれぞれ引っ掛けて形成される。このようにして上記計量部１０が形成される結果、上記底壁２の下辺の長さは該下辺と連設する上記前壁４の一辺よりも長いため、上記一対の側壁３、３の下縁端は該底壁２の上に載っている。
上記把持部２０は、上記一対の把持片６,６それぞれの上記結合切込みＣ３，Ｃ３を相互に係止して形成されており、該把持部２０の面の向きは第一実施形態と同様である。
上記に説明したように第二実施形態は、結合切り込みおよび係止部を用いて結合しているため、接着剤を使用する必要がない。
【００１５】
第三実施形態の紙製計量スプーンＳは、図４および図５に示すように、所定形状の板状紙１から組立て形成された直方体形状の計量部１０と把持部２０とからなっている。
上記板状紙１の形状は図５に示す通りであり、上記計量部１０は、４枚の側壁３と、4枚の底壁形成片２１〜２４及び底壁形成片糊代２５，２６から形成される底壁２とから組立て形成され、糊代７を把持片６に接合して、上記紙製計量スプーンＳが形成される。尚、図５上、Ｄ、Ｄは、紙製計量スプーンＳの組立て時に相互に係合される切欠部である。
第三実施形態の紙製計量スプーンＳを、上記板状紙１による組立て順序の一例について説明すると、上記計量部１０は、上記底壁形成片２１〜２４を４枚の上記側壁３と連設するそれぞれの折曲部にて同じ側に９０度に折曲し、上記底壁形成片２２を上記底壁形成片２１の上に上記底壁形成片糊代２５を介して接合し、上記底壁形成片２４を上記底壁形成片２３の上に上記底壁形成片糊代２６を介して接合した後、上記底壁形成片２３を上記底壁形成片糊代２５の外側に、上記底壁形成片糊代２６を上記底壁形成片２１の内側に重ねるようにして、上記切欠部Ｄ、Ｄを係合させて形成されている。
このようにして組立て形成された第三実施形態の上記紙製計量スプーンＳ全体は、上記計量部１０の上記底壁２を内部へ押し込むことで、扁平状に容易に折りたたむことが可能である。
【００１６】
図６に示す実施形態は、図５に示す第三実施形態における上記糊代７に代えて一枚の把持片６が上記側壁３に連設されており、上記把持部２０が一対の把持片６、６から形成されている。それ以外は第三実施形態と同様に構成されている。
図７に示す実施形態は、図６の実施形態に対して、一対の把持片６、６の配置が異なり、該一対の把持片６、６はそれらの末端部同士で繋がっている以外は、図６に示す実施形態と同様である。以上の実施形態では、把持部を構成する把持片と計量部の側壁が連続的な面で形成されている。
図８に示す実施形態は、図５に示す第三実施形態の把持部を図９（ａ）に示す把持部に置き換えた以外は、第三実施形態と同様に構成されている。
図９（ｂ）に示す把持部の実施形態は、図８に示す実施形態における把持部の他の実施形態である。
【００１７】
上述した各実施形態に用いられる板状紙としては、上記板状紙が吸水度ＪＩＳ  Ｐ８１４０）５０ｇ／ｍ2以下の紙から形成されていることが好ましい。また、上記板状紙の吸水を抑えるために、上記板状紙がポリラミネートされた紙から形成されていることの方が好ましい。
【００１８】
本発明は、前述した実施形態に制限されることなく、本発明の趣旨を逸脱しない限り適宜変更が可能である。
例えば、第一実施形態の計量部１０においては、上記糊代７が前壁４に連設されているが、上記糊代７は上記側壁３に連設されていてもよい。また、上述した実施形態においては、第二実施形態を除いて、板状紙同士を糊代を設けて接合しているが、第二実施形態のように結合切り込みおよび係止部を設けて結合してもよく、逆に、第二実施形態において、板状紙同士を結合切り込みおよび係止部を設けて結合しているが、糊代を設けて接合してもよい。本発明に係るスプーンの計量部内面には、粉を計量するための計量線を記すことが好ましい。
【図面の簡単な説明】
【００１９】
【図１】図１は、本発明の紙製計量スプーンの第一実施形態を示す斜視図である。
【図２】図２は、図１に示す第一実施形態を形成する板状紙の展開平面図である。
【図３】図３は、本発明の紙製計量スプーンの第二実施形態を形成する板状紙の展開平面図である。
【図４】図４は、本発明の紙製計量スプーンの第三実施形態を示す斜視図である。
【図５】図５は、図４に示す第三実施形態を形成する板状紙の展開平面図である。
【図６】図６は、本発明の紙製計量スプーンの他の実施形態を形成する板状紙の展開平面図である。
【図７】図７は、本発明の紙製計量スプーンの更に他の実施形態を形成する板状紙の展開平面図である。
【図８】図８は、本発明の紙製計量スプーンの別の実施形態を示す斜視図である。
【図９】図９（ａ）は、図８に示す実施形態の把持部の斜視図であり、図９（ｂ）は、把持部の他の実施形態の斜視図である。
【符号の説明】
【００２０】
Ｓ                            紙製計量スプーン
１                            板状紙
１０                          計量部
２０                          把持部
２                            底壁
３                            側壁
４                            前壁
５                            後壁
６                            把持片
７                            糊代
８                            糊代
９                            糊代
Ｂ１，Ｂ２，Ｂ３，Ｂ４        折曲部
Ｃ１                          結合切り込み
Ｃ２                          係止部
Ｃ３                          結合切り込み
【図１】
2006292556.tif 000003
【図２】
2006292556.tif 000004
【図３】
2006292556.tif 000005
【図４】
2006292556.tif 000006
【図５】
2006292556.tif 000007
【図６】
2006292556.tif 000008
【図７】
2006292556.tif 000009
【図８】
2006292556.tif 000010
【図９】
2006292556.tif 000011